(57)【要約】【課題】コストミニマム化を図り替場の形状や面積に合わせることができる。【解決手段】特殊景品Ｗを受け入れる受入部２１で引き受ける特殊景品Ｗの種別を識別する識別部２２を設け、識別部２２が識別した特殊景品Ｗ毎に数量を景品計数部２２が計数するソータ部２と、ソータ部２が計数した特殊景品Ｗの種別及び数量に見合った金額の払出が可能な払出部３５、３７が設けられる現金払出部３と、ソータ部２が計数した特殊景品Ｗの種別及び数量の表示、及び、現金払出部３から払い出す金額の表示が可能な表示部４２が設けられると共にキー操作部４３が設けられる管理部４とからなり、少なくとも管理部４を含めた２部を同一筐体６に設け、他の１部を別筐体に設ける。【選択図】  図１
2004173967.tif 000002
【特許請求の範囲】
【請求項１】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部が計数した特殊景品の種別及び数量に見合った金額の払出が可能な払出部が設けられる現金払出部と、
ソータ部が計数した特殊景品の種別及び数量の表示、及び、現金払出部から払い出す金額の表示が可能な表示部が設けられると共にキー操作部が設けられる管理部とからなり、
少なくとも管理部を含めた２部を同一筐体に設け、他の１部を別筐体に設けたことを特徴とする特殊景品買取り装置。
【請求項２】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部が計数した特殊景品の種別及び数量に見合った金額の払出が可能な払出部が設けられる現金払出部と、
ソータ部が計数した特殊景品の種別及び数量の表示、及び、現金払出部から払い出す金額の表示が可能な表示部が設けられると共にキー操作部が設けられる管理部とからなり、
管理部のキー操作部と現金払出部とが同一筐体に設けられることを特徴とする特殊景品買取り装置。
【請求項３】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部と信号入出力可能に接続され、ソータ部が計数した特殊景品の種別及び数量を入力可能であり、現金を格納する現金格納部が設けられ、現金格納部の上部には、現金格納部の上部には現金の補充が可能な開閉蓋が設けられ、ソータ部が計数した特殊景品の種別及び数量に見合った金額の現金を現金格納部から払出し可能な払出部が設けられる現金払出部と、
ソータ部が計数した特殊景品の種別及び数量の表示、及び、現金払出部から払い出す金額の表示が可能な表示部が設けられると共にキー操作部が設けられる管理部とからなり、
管理部のキー操作部と現金払出部とが同一筐体に設けられることを特徴とする特殊景品買取り装置。
【請求項４】
ソータ部の受入部、現金払出部の払出部、管理部のキー操作部のうち、少なくも１つが他の部位と相対的に移動可能な請求項１及び請求項２記載の特殊景品買取り装置。
【請求項５】
キー操作部が設けられ、入力された特殊景品の種別及び数量の表示、及び、払い出す金額の表示が可能な表示部が設けられる管理部と、
管理部の入力部から入力された払出指示によって特殊景品の種別及び数量に見合った金額の払出が可能な払出部が設けられる現金払出部とからなり、
管理部のキー操作部と現金払出部とが同一筐体に設けられることを特徴とする特殊景品買取り装置。
【請求項６】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部が計数した特殊景品の種別及び数量の表示、及び、該景品の種別及び数量に見合った払い出す現金の表示が可能な表示部が設けられると共にキー操作部が設けられる管理部とからなり、
管理部のキー操作部とソータ部とが同一筐体に設けられることを特徴とする特殊景品買取り装置。
【請求項７】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部が計数した特殊景品の種別及び数量に見合った金額の払出が可能な払出部が設けられる現金払出部と、
ソータ部が計数した特殊景品の種別及び数量の表示、及び、現金払出部から払い出す金額の表示が可能な表示部が設けられると共にキー操作部が設けられる管理部とからなり、
ソータ部、現金払出部、及び、管理部が同一筐体に設けられることを特徴とする特殊景品買取り装置。
【請求項８】
キー操作部及び現金払出部の払出部の少なくとも１つが他の部位と相対的に移動可能である請求項４〜請求項６に記載の特殊景品買取り装置。
【請求項９】
前記各部の情報通信を、ソータ部、現金払出部、管理部の何れかに設けた制御部が制御する請求項１〜請求項６記載の特殊景品買取り装置。
【発明の詳細な説明】
【０００１】
【発明の属する技術分野】この発明は、パチンコ等の遊技により獲得した景品を買い取る替場に於ける景品交換装置に関する。
【０００２】
【従来の技術】パチンコ等の遊技では、客が遊技の結果獲得した景品は、替場と呼ばれる景品交換所で買い取ってもらい換金する。
替場では、換金する際に、店員が買い取る景品を顧客から受け取り、受け取った景品に見合う現金を客に渡していた。
しかしながら、店員が目視で景品を確認し、相当する現金を計算して渡す場合では、景品種が複数になると受け渡す金額の計算間違え等が増えてしまうという不具合を生じたので、景品の受け取りと現金の支払いとを自動化する装置が考えられた。
【０００３】
例えば、『景品買取り装置』（特開平７−２１３７２５）が提案された。『景品買取り装置』（以後従来例１という）は、
『（請求項１）  複数の種別の景品を受け取って識別しその景品に相当する代金を自動的に支払う景品買取り装置において、装置本体の前面側に設けられた複数の独立した景品受入れ口と、前記景品受入れ口の各々から延出して設けられた景品搬送経路と、前記景品搬送経路の各終端側に共有して設けられ、搬送されてきた前記景品をその種別毎に収納する景品収納部と、を有することを特徴とする景品買取り装置。
（請求項２）  複数の種別の景品を受け取って識別しその景品に相当する代金を自動的に支払う景品買取り装置において、装置本体の前面側に設けられた複数の独立した景品受入れ口と、前記景品受入れ口に対応して設けられ、前記景品受入れ口において受け取った前記景品に相当する代金を払い出す代金払出し口と、前記景品受入れ口の各々に投入された前記景品に相当する代金の払出しを、前記景品受入れ口に対応する前記代金払出し口において個々に行う独立処理と、連結して前記景品受入れ口のいずれかにおいて行う連結処理とのいずれかの処理を操作者の選択操作に応じて指令する処理指令手段と、前記処理指令手段からの指令信号を受けて前記独立処理または前記連結処理を実行する処理実行手段と、を有することを特徴とする景品買取り装置。』からなる。
【０００４】
そして従来例１は、図８（ａ）（ｂ）に表すように、該装置前面に設けられた景品投入口１０６，２０６に利用者が景品を投入する。すると、投入された景品は、識別部本体１１１，２１１によって有効か無効かが判断されると共に景品の種別が識別され、コントロールボックス１００にその情報が送信される。一方、投入された景品は、識別部本体１１１，２１１によって無効であると判断された場合には、返却用搬送路１４３，２４３から返却用搬送路１４２，２４２を経由して景品返却口１０７，２０７から返却され、有効な場合には景品が景品搬送路１４１，２４１に排出されて搬送され、景品搬送路１４４，２４４を経由して景品振り分け部１４５，２４５へ搬送される。景品振り分け部１４５，２４５では、景品の種別によって景品が振り分けられ、該当する収納カセット３０１乃至３０４に収納されることとなる。尚、図８（ａ）は外側を、図８（ｂ）は内部機構を表している。
【０００５】
又、識別部本体１１１，２１１が景品を有効であると判断すると、代金払出し部４００は、コントロールボックス１００の指令に応じて、各種の紙幣を格納している紙幣格納容器４０１乃至４０３、及び、５百円コイン格納容器４０４から景品の代金を送り出す。すると、各種紙幣は紙幣送り出し通路４１０を経由して装置前面に設ける紙幣払出し口１０４又は２０４から払い出され、５百円コインはコイン送り出し通路４２１及び４２２を経由して装置前面のコイン払出し口１０５或は２０５から払い出される。各払出し口１０４，２０４，１０５，２０５は、夫々景品投入口１０６，２０６に対応して設けられている。即ち、景品投入口１０６には紙幣払出し口１０４とコイン払出し口１０５が対応して設けられ、景品投入口１０６に投入された代金は紙幣払出し口１０４及びコイン払出し口１０５から払い出される。同様に、景品投入口２０６には紙幣払出し口２０４とコイン払出し口２０５が対応して設けられ、景品投入口２０６に投入された代金は紙幣払出し口２０４及びコイン払出し口２０５から払い出される。
又、詳説は省略するが、一連の作業は金額表示欄１０１，２０１によって各処理及び操作指示を表示可能であり、確認ボタン１０２，２０２、返却ボタン１０３，２０３等によって替場係員が操作可能に構成されている。
【０００６】
従って、従来例１によれば、チケット売り場のように顧客側と替場係員側とに仕切られた仕切壁の小さな空間から替場係員に顧客から景品が提示され、この景品を替場係員が受け取り、従来例１に表す装置に景品を投入し、自動的に計算されて払い出される買取り金額の代金を売り場係員が仕切壁の小さな空間から顧客に支払っていた。
【０００７】
又他の従来例としては、『景品交換管理システム』（特開平７−１８５１０６）があった。『景品交換管理システム』（以下、従来例２という）は、
『（請求項１）  遊技場内で流通する景品としてのカードを計数かつ表示するカードカウンターと、該カードカウンターで計数し入庫したカードに見合う現金の出金及びカードの出庫に伴う入金に係わるカードの入出庫管理及び現金の出入金管理を表示・印刷するカード・現金集計機と、前記カードカウンターの計数信号に基づき前記カード・現金集計機から出力された払出信号により現金を払い出す現金払出機と、からなることを特徴とする景品交換管理システム。
（請求項２）  前記カード・現金集計機におけるカードの入出庫管理は、カードの入出庫ごとに入庫数、出庫数及び在庫数を記録すると共にそれらの集計を行ないかつこれらのデータの印刷をする請求項１記載の景品交換管理システム。
（請求項３）  前記カード・現金集計機における現金の出入金管理は、現金の出入金ごとに出金額、入金額及び残金額を記載すると共にそれらの集計を行ないかつこれらのデータの印刷をする請求項１又は２記載の景品交換管理システム。
（請求項４）  前記カード・現金集計機におけるカードの入出庫管理及び現金の出入金管理は、オペレーター別に集計を行ないかつこれらのデータの印刷をする請求項１、２又は３記載の景品交換管理システム。』からなり、替場の作業を簡素化しつつ防犯性を向上させたものである。
【０００８】
そして、従来例２は、図９に表すように、景品であるカードＣを計数すると共にその結果を表示するカードカウンター３０３が設けられている。カードカウンター３０３が計数できるカードは、２００円、１０００円、２０００円等の複数種であり、計数したカード毎の枚数の情報を出力可能である。
更に従来例２は、カードカウンター３０３の計数結果を得て各カード毎の枚数、同じく金額、及び、設定しているエラー・集計結果の表示が可能なカード・現金集計機３０５が設けられる。従ってカード・現金集計機３０５は、カードカウンター３０３で計数し入庫したカードに見合う現金の出金と、カードの出庫に伴う入金に係わるカードの入出庫管理と、現金の出入金管理とを表示・印刷可能である。カード・現金集計機３０５は、カードカウンター３０３と通信可能にケーブルにより接続されている。
【０００９】
更に又従来例２には、現金払出機３０６が設けられる。現金払出機３０６は、カードカウンター３０３の計数した情報に基づいてカード・現金集計機３０５から出力される払出信号によって現金を払い出し可能である。そして、現金払出機３０６はカード・現金集計機３０５と通信可能にケーブルにより接続されている。
上述のように構成する従来例２では、顧客が替場に景品であるカードを持ち込み、カードカウンター３０３にカードをセットして計数させる。カードカウンター３０３では計数した結果をカード・現金集計機３０５に出力する。
カード・現金集計機３０５では、カードを計数した結果に見合う金額等が表示されると共に現金払出機３０６へ払い出す現金の情報を出力する。更に、カード・現金集計機３０５では、入出金及びカードの入出庫を管理する。
現金払出機３０６では、カードを計数した結果に見合う金額の現金の払い出し情報を受領し、現金を払い出す。
利用者は、払い出された現金を手にする。
【００１０】
【発明が解決しようとする課題】従来例１では、現在の替場では、替場係員は顧客から替場において買取ってもらえる景品である特殊景品を受け取る。この特殊景品は遊技場によって異なり、又種類も複数種存在する。景品識別仕分け装置（ソータ）に特殊景品を挿入（装置によっては単に載置するだけの場合もある）し集計ボタンを押す。すると、特殊景品が景品識別仕分け装置によって種類毎に仕分けされて格納されると共に、識別されその数量が認識され、買取る金額（顧客に支払うべき金額）を集計演算する。集計演算された金額は現金支払い装置から支払われ、替場係員が受け取る。そして、替場係員は受け取った金額を顧客に支払うこととなる。この従来例１を替場に設置した際には、景品買取り装置が替場係員側に有るため、景品を顧客から受け取って現金を顧客へ渡すまでの作業を全て替場係員が行わなければならないという問題点を有した。この問題点は、替場係員の作業効率が低下するので、閉店間際など替場に顧客が集中する時間帯においては、買取り作業に時間がかかるので替場に混雑を招きやすく、パチンコホール等の遊技場にとっては顧客化に悪い印象を与え悪影響を及ぼすこととなる。
【００１１】
又、従来例２の景品交換管理システムは、替場に於ける景品買取り作業は顧客によって進められ、替場係員はカード・現金集計機３０５に対して現金支払い時の許可を与えるだけであるが、景品交換管理システムは、カードカウンター３０３、カード・現金集計機３０５、現金払出機３０６が独立した装置として必要であるという問題点を有した。
【００１２】
この装置が独立して必要であるという問題点は、各装置に電源部、筐体、インタフェース部、接続コードの夫々が必要となり、システム全体が高価になってしまうという問題点を有した。更に又、独立した装置間で情報のやり取りを行う場合には、各装置は単独に演算処理、情報の生成、通信手順を行うので、各装置に中央演算処理装置（ＣＰＵ）が必要となり各装置の独立処理となってしまうので、通信ソフトの開発が必要となり、システム全体のコストが高くなってしまうという問題点を有した。又、同システムを替場に実施する場合には、複数の装置を設置しなければならず、必要な設置面積が大き過ぎて替場に実施不能となる場合も生じてしまった。
【００１３】
そこで、この発明は、上記問題点に鑑み、極力コストの低減を図りつつ、替場係員の作業の一部である景品識別仕分け装置に特殊景品を挿入する作業や、現金支払い装置から払い出された現金の受け取り作業を顧客自身に行わせて効率化を図ることを可能とすると共に、各装置を一体化して設置面積を小面積にして狭い替場でも実施可能な装置を提供することを目的とする。更に、一体化した現金支払い装置及び景品識別仕分け装置の向きを顧客側或は替場係員側にと変更可能な装置を提供することを目的とする。
【００１４】
【課題を解決するための手段】
上記目的を解決するため、発明者は、先ず、様々な形状の狭い替場に対応可能なようにソータ部、現金払出部、管理部（後に詳述する）を全て一体化して、コスト低減のために１つのＣＰＵで制御させ電源装置を１とした装置に着目したが、このような装置では筐体自体の巨大化を招き、かえって非常に狭い替場に対応できないとか、全て一体化した場合なくても我慢できる機能部を買わなければいけないというコスト増となり商圏を狭めていることに思い至った。また同時に、全て別体化して個々の替場の状況や希望に添ったソータ部、現金払出部、管理部を別体として販売した場合、コストが最も高くなり、売り場の占有面積自体最も大となり好ましいものではないことにも思い至った。
そこで発明者は、コストミニマム化を満たしつつ、どのようにしたら全国津々浦々の替場の形状や面積に合わせることができるかという課題を得て更に思考を重ねた結果、全て一体または全て別体とするような設置の柔軟性がない装置より一部を一体化すればよいことに思い至った。
また更に発明者は、ソータ部、現金払出部、管理部のうち、最も必要性の高いものはミスや替場店員の盗みによる現金や特殊景品の数量不足がでないようにするための数量管理する管理部であることに着眼した。そして更に最も占有面積を要するソータ部を別体とすればよいということに思い至った。更に替場面積を占有する現金払出部を別体とすればよいことに思い至った。即ち、最も小型化できる管理部をソータ部、あるいは現金払出部に一体化して、必要に応じて他を別体とすれば、全国津々浦々の替場の形状や面積に合わせて他の別体を買わないようにするなどして調整することができ、しかも追加効果として混んでいる時間帯などに遊技客に一部装置に操作させるようにすればその混みようが改善できると気が付き、本発明を完成させた。
即ち、本発明の特殊景品買取り装置は、
【００１５】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、ソータ部が計数した特殊景品の種別及び数量に見合った金額の払出が可能な払出部が設けられる現金払出部と、ソータ部が計数した特殊景品の種別及び数量の表示、及び、現金払出部から払い出す金額の表示が可能な表示部が設けられると共にキー操作部が設けられる管理部とからなり、管理部のキー操作部と現金払出部とが同一筐体に設けられることを特徴とする特殊景品買取り装置、
【００１６】
を提供する。このように構成する特殊景品買取り装置は、キー操作部と現金払出部とが同一筐体に設けられており、ソータ部を別体にできるので、例えば、替場内で仕切られた顧客側と替場係員側とを仕切る仕切壁からソータ部の受入部のみを顧客側にして顧客による操作を可能にでき、顧客にソータ部の受入部へ特殊景品を載置してもらうことができ、替場係員の作業を軽減できる。従って、閉店間近等の替場混雑時にも替場における特殊景品の買取り作業を効率よく行える。尚、キー操作部においては、開店時の特殊景品の種別や買取価格等の初期設定、この初期設定を行うためのＩＤやパスワード入力、払い出す現金の入庫額の入力、この現金の入庫に伴うＩＤやパスワード入力、提携するパチンコホールが複数ありホールによって受け取った特殊景品が自動認識できないタイプのものを扱う場合の種別や数量の手入力、営業終了時に行う払い出した現金の総額、特殊景品の種別と種別毎の数量や受け取った特殊景品の種別やホール名と数量及び特殊景品の総額データ等の各データのプリンターへの印字指示や管理センター本部への伝送指示、間違い操作の取消と新たな操作指示、等の入力を受け付けるが、これに限らず何らかの入力指示を受けることが可能なキー操作部であればよい。管理部においては、上記のようなキー操作部からの入力や各部からの入力を受けて所定の演算作業や記録作業を行うものであればよい。
【００１７】
更にこの発明では、一般に床面積を小さくし必要最小限に設けられる替場の上部空間を有効に使用可能な特殊景品買取り装置とするために、
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、
ソータ部と信号入出力可能に接続され、ソータ部が計数した特殊景品の種別及び数量を入力可能であり、現金を種類別に格納する現金格納部が設けられ、現金格納部の上部には現金の補充が可能な開閉蓋が設けられ、ソータ部が計数した特殊景品の種別及び数量に見合った金額の現金を現金格納部から払出し可能な払出部が設けられる現金払出部と、ソータ部が計数した特殊景品の種別及び数量の表示、及び、現金払出部から払い出す金額の表示が可能な表示部が設けられると共にキー操作部が設けられる管理部とからなり、管理部のキー操作部と現金払出部とが同一筐体に設けられることを特徴とする特殊景品買取り装置、
【００１８】
を提供するので、現金払出部は、現金格納部上部に設けた開閉蓋を開口して上方から現金の補充が可能となるので、替場内の使用しない上部空間側を利用する現金補充となり、替場空間を有効に活用可能となる。
そして、上記特殊景品買取り装置の構成を、
【００１９】
ソータ部の受入部、現金払出部の払出部、管理部のキー操作部のうち、少なくも１つが他の部位と相対的に移動可能、
【００２０】
に構成するので、通常時は、特殊景品買取り装置のソータ部に設けた受入部、現金払出部に設けた払出部、管理部に設けたキー操作部を替場係員側に位置させて、替場係員が顧客から特殊景品を預かり、替場係員が特殊景品買取り装置に対する全ての操作を行うように使用し、閉店間近等の混雑時には、例えば、ソータ部の受入部及び現金払出部の払出部を替場内の顧客側へスライド或は回転させることで替場仕切壁の顧客側へ顧客による操作可能に相対的に移動させ、特殊景品のソータ部への挿入（或は載置）を顧客に行わせ、ソータ部が識別した特殊景品の種類及び数量に見合った現金の支払いを許可する操作を替場の係員が管理部のキー操作部を操作することで行い、現金払出部が該許可に基づいて該金額を払出部から支払い、支払われた現金を顧客によって受け取らせることが可能となる。このように、特殊景品買取り装置に対する操作を、全て替場係員が行ったり、該操作の一部を顧客に分担させたりと種々の利用形態をとることが可能となる。
【００２１】
更に又、特殊景品買取り装置により買取り作業を行う際の特殊景品は、一般に、カード型のものや箱形のもの等種々の形態のものが存在する。そして、これら種々の形態からなる特殊景品は、同一形態でありながら有価価値の異なる種類が存在する。そして、これら特殊景品は、パチンコホール等遊技場によって異なるものを使用する。このように異なる特殊景品を用いることで、他の遊技場で獲得した特殊景品を買い取ることができないようにしている。
このように種々の形状からなる特殊景品は、夫々の形状等に合わせて作られる専用の計数装置であるソータ部によって特殊景品の種類及び計数が行われる。
そこで、この発明では、
【００２２】
キー操作部が設けられ、入力された特殊景品の種別及び数量の表示、及び、払い出す金額の表示が可能な表示部が設けられる管理部と、管理部の入力部から入力された払出指示によって特殊景品の種別及び数量に見合った金額の払出が可能な払出部が設けられる現金払出部とからなり、管理部のキー操作部と現金払出部とが同一筐体に設けられると共に、キー操作部及び現金払出部の払出部の少なくとも１つが他の部位と相対的に移動可能であることを特徴とする特殊景品買取り装置、
【００２３】
を提供し、特殊景品買取り装置の構成中にソータ部を設けず、各遊技場毎に用意されたソータ部から特殊景品を識別しその種類及び数量を入力する、即ち、換金可能な複数種の特殊景品の種別毎に数量を入力可能であるので、払い出す金額を確定可能となり、どの様な形態の特殊景品を用いている遊技場の替場に対しても実施可能にできる。
【００２４】
同様に、この発明では、現金払出部を構成中に設けずに、払い出す現金の金額に関する情報（金種毎の数量に関する情報を含まないでもよい。）を他に設ける現金払出装置、或は、顧客カードのようなものに有価情報として書き込み可能とする装置等に出力可能に構成する装置として、
【００２５】
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、ソータ部が計数した特殊景品の種別及び数量の表示、及び、該景品の種別及び数量に見合った払い出す現金の表示が可能な表示部が設けられると共にキー操作部が設けられる管理部とからなり、管理部のキー操作部とソータ部とが同一筐体に設けられると共に、ソータ部の受入部、管理部のキー操作部のうち、少なくも１つが他の部位と相対的に移動可能であることを特徴とする特殊景品買取り装置、
【００２６】
を提供することで、前記ソータ部を設けない構成の特殊景品買取り装置同様、払い出す現金の金額に関する情報（金種毎の数量に関する情報を含まないでもよい。）を既存の現金払出装置に対して通信することで現金の支払いを可能となり、又、現金払出装置以外の装置に対しても同様に、払い出す現金の金額に関する情報（金種毎の数量に関する情報を含まないでもよい。）の通信が可能にできる。これによって、特殊景品買取り装置は既存の現金払出装置と組み合わせた状態で使用可能となり、特殊景品買取り装置の利用範囲を広くできる。
【００２７】
更に又、この発明は、
換金可能な複数種の特殊景品を受け入れる受入部を設け、受入部で引き受ける特殊景品の種別を識別可能な識別部を設け、識別した特殊景品毎に数量を計数可能な景品計数部を設けるソータ部と、ソータ部が計数した特殊景品の種別及び数量に見合った金額の払出が可能な払出部が設けられる現金払出部と、ソータ部が計数した特殊景品の種別及び数量の表示、及び、現金払出部から払い出す金額の表示が可能な表示部が設けられると共にキー操作部が設けられる管理部とからなり、ソータ部、現金払出部、及び、管理部が同一筐体に設けられると共に、ソータ部の受入部、現金払出部の払出部、管理部のキー操作部のうち少なくも１つが他の部位と相対的に移動可能であることを特徴とする特殊景品買取り装置、
【００２８】
を提供し、ソータ部、管理部、現金払出部を同一筐体として構成するので装置全体をコンパクトにできると共に、ソータ部の受入部、現金払出部の払出部、管理部のキー操作部のうち少なくも１つを移動可能に構成するので、前記同様例えば、ソータ部の受入部及び現金払出部の払出部を替場内の顧客側へスライド或は回転させることで替場仕切壁の顧客側へ顧客による操作可能に相対的に移動させ、特殊景品のソータ部への挿入（或は載置）を顧客に行わせ、ソータ部が識別した特殊景品の種類及び数量に見合った現金の支払いを許可する操作を替場の係員が管理部のキー操作部を操作することで行い、現金払出部が該許可に基づいて該金額を払出部から支払い、支払われた現金を顧客によって受け取らせることが可能となる。このように、特殊景品買取り装置に対する操作を、全て替場係員が行ったり、該操作の一部を顧客に分担させたりと種々の利用形態をとることが可能となる。
【００２９】
そして、上記各特殊景品買取り装置は、
前記各部の情報通信を、ソータ部、現金払出部、管理部の何れかに設けた制御部が制御する請求項１〜請求項６記載の特殊景品買取り装置、
をとするので、各部に通信の制御を行う制御部を設けずに構成でき、各装置に通信のための中央演算処理装置（ＣＰＵ）を必要せず各部の通信制御を一体に処理することができ、複雑な通信ソフトの開発が不要で、システム全体のコストを押さえることができる。
【００３０】
【発明の実施の形態】以下に、この発明の実施の形態を図面に基づき説明する。図１はこの発明の第１の実施の形態を表す説明図であり、図２は替場の説明図であり、図３は第１の実施の形態を表す説明図であり、図４は同内部説明図であり、図５は第２の実施の形態を表す説明図であり、図６は第３の実施の形態を表す説明図であり、図７は第４の実施形態を表す説明図である。
【００３１】
１は、この発明の第１の実施の形態である特殊景品買い取り装置である。特殊景品買い取り装置１は、図１に表すように、ソータ部２、現金払出部３、管理部４とからなり、ソータ部２は、現金払出部３および管理部４とは別の筐体によって形成され、通信用および電源供給用等のケーブル５によって接続されて形成され、パチンコホール等の遊技場で獲得した特殊景品を買い取る店舗である替場Ａに設置される。替場Ａは、図２に表すように、通常狭い空間の部屋であり、替場係員が入る替場係員側Ａ１と顧客側Ａ２とに仕切り壁Ｂによって仕切られる。そして替場係員側Ａ１および顧客側Ａ２には、それぞれカウンタＣが設けられており、特殊景品買い取り装置１は、替場係員側Ａ１側のカウンタＣに設置され、替場係員によって操作される。更に仕切り壁Ｂには、開口窓Ｂ１およびＢ２を形成する。開口窓Ｂ１は替場係員が顧客との間で特殊景品Ｗおよび現金の受け渡しを行う開口であり、開口窓Ｂ２は、ソータ部２の一部を顧客側Ａ２へ突出させるための開口である。替場Ａは、通常時は顧客が顧客側Ａ２に入り、替場係員側Ａ１に入る係員に開口窓Ｂ１から特殊景品を渡し、替場係員が、受け取った特殊景品を特殊景品買い取り装置１によって買い取り処理をして買い取る現金を開口窓Ｂ１から顧客へ支払うが、混雑時等顧客に買い取り処理の一部を行わせる際には、開口窓Ｂ１から特殊景品買い取り装置１の一部を顧客側Ａ２に突出させて顧客による特殊景品買い取り装置１の操作が可能にさせるよう形成される。尚、この実施の形態では、仕切り壁Ｂの開口を開口窓Ｂ１およびＢ２と２つ設けたが、１つの開口のみとし該の一部若しくは全部を開閉可能にして場合によってソータ部２の一部を顧客側Ａ２へ突出可能に形成しても良い。
【００３２】
ソータ部２は、図３に表すように、特殊景品を受け入れる受入部２１、受け入れた特殊景品の種別を識別すると共に各種別毎の数量を計数可能である識別部２２と、識別および数量計数処理を終了した特殊景品を排出する排出口２３と、操作指示を行う入力部２４と、特殊景品の計数を開始させる計数開始ボタン２５と、特殊景品を識別した際に不良品等であった場合のエラー時にその特殊景品を排出させるエラー排出口２６と、特殊景品の載置ガイドであるガイド２７、特殊景品を搬送する搬送手段２８と、表示部２９とからなり、現金払出部３および管理部４とは別の筐体に設けられる。また、ソータ部２は、識別部２２が識別して計数した特殊景品Ｗの数量から特殊景品Ｗを買い取る金額を算出可能であり、管理部４の通信制御により識別して計数した特殊景品Ｗの数量から特殊景品Ｗを買い取る金額を管理部４および現金払出部３へ通信可能である。尚、図３は、（ａ）がソータ部２の斜視説明図であり、（ｂ）が（ａ）の左側面説明図である。尚、識別部２２は、詳細には、識別を行う識別部と識別した結果である特殊景品Ｗ毎の数量を計数する景品計数部とに分けられるが、この実施の形態では、識別部及び景品計数部とを合わせて識別部とする。
【００３３】
受入部２１は、図３（ａ）に表すように、ソータ部２の上面端部に開口し、特殊景品Ｗを載置可能である。受入部２１には、他端側にコ字状の立設壁からなるガイド２７が取り付けられ、特殊景品Ｗをガイド２７に当接させることで、特殊景品Ｗを揃えて載置可能である。受入部２１に積層して載置された特殊景品Ｗは、搬送面の一部が受入部２１の底面の形成すると共にソータ部２の他端側内部に設ける識別部２２へ搬送可能な搬送手段２８によって識別部２２に搬送され、計数される。そして、ソータ部２を顧客によって操作させる場合には、受入部２１は、替場Ａの仕切り壁Ｂから顧客側Ａ２に突出するようにカウンタＣに載置され、顧客によって特殊景品Ｗが載置される。また、図示しないが、受入部２１には、特殊景品が載置されているか否かを検知するセンサが取り付けられており、搬送手段２８によって載置されていた特殊景品Ｗがすべて搬送されたことを検知能である。
【００３４】
識別部２２は、ソータ部２内に設けられ、搬送手段２８によって搬送された特殊景品Ｗの種別を識別すると共に、種別毎にカウントしその数量を積算可能である。そして、識別部２２は、正常に種別の識別および計数が終了した特殊景品Ｗは、排出口２３から排出可能であると共に、正常ではないと判断した特殊景品Ｗはエラー排出口２６から排出可能である。識別部２２は、識別方法やカウント方法は従来から用いられている特殊景品Ｗのカウンタと他の作用は同様に形成すればよい。
【００３５】
排出口２３は、ソータ部２の正面に設けられ、正常にカウントされた特殊景品Ｗが排出される。
【００３６】
入力部２４は、ソータ部２の正面に設けられ、電源スイッチや表示部２９の表示切り替えの指示や識別部２２のエラー時の処理方法の指示を行う各種スイッチ等からなり、ソータ部２の動作を制御可能である。
計数開始ボタン２５は、ソータ部２に計数するよう指示する操作ボタンである。尚、受入部２１の搬送手段２８部位に特殊景品Ｗの載置を感知するセンサを設けることで、計数開始ボタン２５と同等の働きをさせることも可能であり、この場合には計数開始ボタン２５を設けずとも良い。
【００３７】
エラー排出口２６は、図３（ｂ）に表すように、ソータ部２の左側面に開口して設け、識別部２２が不良であると識別した特殊景品Ｗが排出される排出口である。尚、エラー排出口２６は、ソータ部２の背面や右側面等他の部位に開口してもよく、特に顧客に返却する場合には、ソータ部２の受入部２１側に排出するのが望ましい。
【００３８】
ガイド２７は、コ字状に立設壁を形成する板状体からなり、受入部２１の識別部２２側に設置され、受入部２１に積層して載置する特殊景品Ｗのガイドであり、中央の立設壁の下端を回転中心として図３（ｂ）に矢示するように回転させ、ソータ部２未使用時の受入部２１の閉塞蓋を兼ねる。
【００３９】
搬送手段２８は、２列の搬送ベルトを有するベルトコンベヤからなり、一端側はベルトコンベヤ上面が受入部２１の底面を形成するよう位置されると共に、他端側は識別部が識別可能な位置に特殊景品Ｗを移動するよう設けられる。そして、搬送手段２８は、受入部２１周囲部下端とベルトコンベヤ上面との間には特殊景品Ｗの厚さより僅かに大きな間隙を有するように設置され、受入部２１に積層載置された特殊景品Ｗを１枚ずつ搬送可能である。従って、搬送手段２８により、特殊景品Ｗが受入部２１に積層載置されると、特殊景品Ｗを他端側に搬送し識別部２２に到達した特殊景品Ｗは識別部２２によって識別可能な位置に搬送可能となる。
【００４０】
表示部２９は、ソータ部２の正面に設けられる液晶表示部からなり、識別部２２によって識別された特殊景品Ｗの種類および積算枚数等を表示したり、現在の作業状況を表示することが可能であり、その他必要な情報を表示可能である。
現金払出部３および管理部４は、図１および図４に表すように、ソータ部２とは異なる筐体に納められる。
【００４１】
筐体６は、上面に現金払出部３により払い出される現金を収納するための蓋部６１が設けられる。蓋部６１は筐体上面に上方へ開口可能に設けられ、紙幣および貨幣用にそれぞれ左右並べて蓋体６１ａ，６１ｂが設けられる。このように筐体６の上面に現金払出部３へ現金を補給するための蓋部６１を設けることで、現金を補給する際に上方の空間から補給作業が行える。このように上方の空間より補給作業が行えるようにすることで非常に狭い替場においても補給作業を容易に行うことができる。
【００４２】
現金払出部３は、現金払出部３および管理部４の内部構造の説明図である図４に表すように、筐体６内部に設けられ、紙幣処理部３１および硬貨処理部３２とからなる。紙幣処理部３１は、紙幣を種別毎に格納しておく紙幣ストッカ３３と、紙幣搬送手段３４と、払出部である紙幣排出口３５とからなる。
【００４３】
紙幣ストッカ３３は、紙幣各種に対応してそれぞれの種別毎に設けられ、この実施の形態では、１万円札と千円札とを払出可能に形成するので、１万円札用の紙幣ストッカ３３ａと千円札用の紙幣ストッカ３３ｂとからなる。紙幣ストッカ３３ａおよび３３ｂは、それぞれ底面が対応する紙幣の形状を成し紙幣を積層して格納可能な直方体からなり、筐体６の蓋体６１ａおよび６１ｂを開口させて筐体６上方から挿入あるいは離脱が可能である。紙幣ストッカ３３ａおよび３３ｂは、筐体６の前後方向に並設される。
【００４４】
紙幣搬送手段３４は、筐体６正面に設ける紙幣排出口３５から筐体６内部の紙幣ストッカ３３ａおよび３３ｂの下部に位置するよう設け、駆動モータ（図示せず）によって駆動される。ベルトコンベヤが駆動され紙幣を搬送可能である。そして、紙幣排出口３５は、紙幣ストッカ３３の下端から管理部４に指示される所望種および所望枚数の紙幣を１枚ずつ抜き取り可能であると共に、抜き取った紙幣を積層して一度に紙幣排出口３５から排出可能である。勿論、紙幣搬送手段３４はストッカ３３から抜き取った紙幣を１枚ずつ順次排出するように形成しても良い。紙幣搬送手段３４は、指示される枚数の紙幣をそれぞれの紙幣ストッカ３３の下部から抜き取って排出可能である。
【００４５】
紙幣排出口３５は、筐体６の正面に開口され、紙幣搬送手段３４によって搬送された紙幣を排出する。
硬貨処理部３２は、コインストッカ３６と、コイン払出部３７と、コイン払出管３８とからなる。
コインストッカ３６は、蓋体６１ｂ内部に設けられ、５００円硬貨或は１００円硬貨を格納可能であり、筐体６上方から各硬貨が補給される。コインストッカ３６は、この実施の形態では、５００円硬貨或は１００円硬貨のみであるが、１０円硬貨も格納可能に形成してもよく、また、１００円硬貨のみを格納可能に形成しても良い。
コインストッカ３６は、各硬貨を管理部４に指示される種類のコインを指示される枚数払出可能である。
【００４６】
コイン払出部３７は、筐体６正面に開口され、硬貨の払出が行われる。コイン払出管３８はコインストッカ３６およびコイン払出部３７間を接続し、コインストッカ３６から払い出される硬貨をコイン払出部３７から払い出させる。
上述のように形成する現金払出部３は、管理部４の指示によって、指示される紙幣および硬貨の種類を指示される数量払出可能である。
【００４７】
管理部４は、図３および図４に表すように、筐体６内部に設ける管理部本体４１と、筐体６表面に設ける表示部４２およびキー操作部４３とからなる。そして、管理部４は、ソータ部２および現金払出部３の制御を行うと共に、計数した特殊景品Ｗの種類および枚数を積算可能であると共に買い取った特殊景品Ｗの金額を積算記憶可能であり、これらデータの１日の集計が可能である。また、１日の集計結果を、他に設ける管理センター本部（図示せず）へ通信して報告可能であると共に集計結果を別途も受けるプリンタ（図示せず）から印字させることも可能である。
【００４８】
管理部本体４１は、別の筐体に設けるソータ部２および同じ筐体６に設ける現金払出部３と通信可能であり通信の制御を行うと共に、キー操作部４３から入力される指示に従いソータ部２および現金払出部３の動作の制御を行う。また、管理部本体４１は、表示部４２への表示の制御を行う。管理部本体４１では、ソータ部２の計数開始ボタン２５が押圧されて計数された特殊景品Ｗの種類および数量を通信によりソータ部２から取得すると共に、その情報から計数した特殊景品に見合う買い取り金額を取得可能であり、取得した買い取り金額に相当する現金を現金払出部３から払い出すよう現金払出部３へ払出指示を通信可能である。更に、管理部本体４１は、ソータ部２から取得した情報を表示部４２に表示するよう指示可能である。
【００４９】
表示部４２は、筐体６正面の表面に設けられる液晶画面からなり、管理部本体４１の指示による表示事項を液晶画面に表示可能である。
キー操作部４３は、筐体６正面の表面に設けられ、テンキー等の操作キーからなり、閉店時に行う１日に支払った現金および１日に引き受けた特殊景品Ｗの種類および枚数等の集計作業の指示や、その替場で異なるパチンコホールに対応しソータ部２の受入部２１に挿入できない異なるタイプの特殊景品を受け付ける場合に種別と数量を手入力したり、ソータ部２および現金払出部３に発生したエラー時の指示等を行う。更に、キー操作部４３は、特殊景品買い取り装置１の日時の設定や特殊景品Ｗ種別の初期設定値の入力が可能である。そして、これら設定はソータ部２および現金払出部３についての設定である。
【００５０】
上述のように形成する特殊景品買い取り装置１は、通常時には、替場Ａの替場係員側Ａに載置されており、利用する顧客が仕切り壁Ｂに設けた開口窓Ｂ１から係員に特殊景品Ｗを渡す。すると替場係員は、受け取った特殊景品Ｗをソータ部２の受入部２１に載置して計数開始ボタン２５を押圧する。
【００５１】
ソータ部２では、計数開始ボタン２５が押圧されたので、載置された特殊景品Ｗを搬送手段２８が受入部２１から識別部２２へ搬送する。搬送された特殊景品Ｗは、識別部２２によって種類が識別されると共に計数される。そして、計数した特殊景品Ｗは、排出口２６から排出する。また、識別不能であった特殊景品Ｗはエラー排出口２６から排出されると共にその旨を管理部本体４１へ通信する。
【００５２】
この識別および計数の作業を載置された特殊景品Ｗが無くなるまで行う。載置された特殊景品Ｗが無くなると、受入部２１に設けたセンサ（図示せず）によってすべての特殊景品Ｗが搬送されたことを感知し、最後に搬送された特殊景品Ｗの識別および計数作業を終わると、種別および種別毎の数量を表示部２９へ表示すると共に計数した結果から特殊景品Ｗの買い取り金額を計算し、同様に表示部２９に表示する。また、種別毎に計数した結果および買い取る金額を管理部本体４１に通信すると共に、買い取る金額を現金払出部３へ通信する。
【００５３】
現金払出部３では、通信によって取得した買い取る金額に見合う現金の払出を行う。即ち、その金額に見合う現金となるよう、単位の大きな金種から支払える枚数分の金額を差し引き、残金から次に大きな金種から支払える枚数分の金額を差し引くというように計算し、それぞれの金種で差し引いた枚数を紙幣ストッカ３３およびコインストッカ３６から支払う。このときの紙幣処理部３２および硬貨処理部３３の動作は前記したとおりである。
替場係員は、現金払出部３で払い出された現金を取って仕切り壁Ｂに設けた開口窓Ｂ１から顧客へ支払う。
【００５４】
管理部４の管理部本体４１では、ソータ部２から計数した特殊景品Ｗの種類と数量および買い取り金額の情報を取得する。そして、取得した情報を表示部２９に表示させると共に、受信した情報を積算記憶する。即ち、管理部本体４１では、受信した特殊景品Ｗを計数した数量をその種類別に積算記憶すると共に算出された買い取り金額を積算記憶しておく。この積算記憶は、閉店作業時の情報として用いる。また、閉店時には管理部４のキー操作部４３の操作によって、これらデータの日計を印字させたり、同様にキー操作部４３の操作によって、別途設ける管理センター（図示せず）にこれらデータを通信する。
【００５５】
上述のように、特殊景品買い取り装置１は、ソータ部２で計数した特殊景品Ｗに見合った金額の支払いができる。
また、特殊景品買い取り装置１は、閉店間際等の混雑時には、ソータ部２への特殊景品Ｗの載置を顧客に行わせるために、ソータ部２の受入部２１を仕切り壁Ｂの開口窓Ｂ２から顧客側へ突出させる。このとき、ソータ部２には、図３に表すように、仕切り壁Ｂ位置に当接して開口窓Ｂ２を閉塞可能な板体Ｄをガイド２７の直後、即ち、ガイド２７の直ぐ排出口２６側に固定可能にスリット状の溝部２７ｂを形成しておき、板体Ｄを挟み込んで開口窓Ｂ２に当接させる。このように板体Ｄを開口窓Ｂ２に当接させて開口窓Ｂ２を閉塞することで、ソータ部２の顧客にとっての不要箇所の操作ができないようにし、顧客による誤操作やいたずらを防ぐ。尚、板体Ｄは、透明なアクリル樹脂或はガラスなどが好ましいが、金属製の板状体であっても良い。
【００５６】
そして、顧客によって特殊景品Ｗはガイド２７にガイドされながら揃えられて受入部２１に載置され、前記同様載置された特殊景品Ｗは計数され、替場係員が現金払出部３から現金を受け取って開口窓Ｂ１から顧客へ現金を渡す。
このように、特殊景品Ｗの載置および計数開始の指示を顧客に行わせることで、替場係員は特殊景品Ｗの受け渡し特殊景品Ｗの載置および計数開始の指示を行わないので、開口窓Ｂ１から顧客に現金を受け渡している間に、次の顧客が特殊景品Ｗを載置でき、替場における作業時間を短縮可能となる
【００５７】
ついで、特殊景品買い取り装置１の第２の実施の形態を、同装置の斜視説明図である図５に基づき説明する。
第２の実施の形態である特殊景品買い取り装置１では、ソータ部２は第１の実施の形態同様であるので図示を省略するが、現金払出部３および管理部４とは別体として、形成されケーブル５によって接続される。
【００５８】
現金払出部３および管理部４は、図５に表すように、現金払出部３の上部に管理部４が位置すると共に、相互に内部を貫通させた回転軸４４に回動自在に載置されてなる。そして、現金払出部３は、紙幣処理部３１および貨幣処理部３２の各紙幣および貨幣の供給が上方からはできないので、第１の実施の形態とは異なり紙幣処理部３１および貨幣処理部３２を筐体から横方向へ引き出して処理するよう形成する。即ち、紙幣処理部３１および貨幣処理部３２は、筐体６内に横方向へ移動自在なキャスタ部３９に載置してなり、キャスタ部３９を移動させることで筐体６内に位置させる。そして、筐体６のキャスタ部３９を筐体６内に移動させた時に紙幣排出口３５およびコイン払出部３７が対向する位置には、それぞれ開口を設けておき、紙幣および貨幣を筐体６外部へ払い出せるように形成する。又、現金払出部３は、回動自在の設置台Ｅの上に載置する。
【００５９】
従って現金払出部３は、紙幣ストッカ３３およびコインストッカ３６の供給は、キャスタ部３９を横方向へ移動させた状態で行う。
管理部４は、筐体６の上部に回動自在に載置され、現金払出部３と同一体ではあるが回転可能に設ける。その他管理部４の構成は第１の実施の形態同様である。
【００６０】
第２の実施の形態のように特殊景品買い取り装置１を構成することで、筐体６から現金を払い出す現金払出部３の紙幣排出口３５およびコイン払出部３７を替場Ａの仕切り壁Ｂから現金を受け取り可能に顧客側に位置させると共に、管理部４を回転させて管理部４の正面に位置するキー操作部４３および表示部４２を仕切り壁Ｂとは反対側に向けて位置させることで、特殊景品Ｗの載置作業に加え、払い出す現金の受け取りをも顧客に行わせることが可能となる。尚、この実施の形態では、現金を払い出す前に、表示部４２に表示された払い出す現金金額が正しいか否かを替場係員がチェックしてから管理部４のキー操作部４３のキー操作によって払い出すように構成しても良い。また、第２の実施の形態では、管理部４は回転動作によってキー操作部４３の位置を相対的に筐体表面から移動させるように構成したが、回転動作に加え水平方向へのスライド動作を加えてよりスムーズに管理部４を移動させるようにすることもできる。
【００６１】
ついで、特殊景品買い取り装置１の第３の実施の形態を説明する。
第３の実施実施の形態は、図６に表すように、ソータ部２の上部に管理部４を設け、第２の実施の形態同様、管理部４をソータ部２に対して相互に内部を貫通する回転軸４４に回動可能に設置した例である。そして、ソータ部２は、上部に管理部４が載置されることから、ガイド２７を設けずに構成し、その他は第１の実施の形態同様である。
管理部４は、第２の実施の形態同様回動可能に形成するが、スライド動作を付加しても良い。そして、管理部４は、ソータ部２の受入部２１にかからないようにソータ部２上部に回動自在に載置して設置する。
【００６２】
現金払出部３は、第３の実施の形態では一体となったソータ部２および管理部４とは別に設けられ、ケーブル５によって通信可能に接続される。現金払出部３は、第１の実施の形態同様に構成されるが、管理部４を同一筐体に伴わないので構成を小さくできる。ここで、ケーブル５以外に、無線ＬＡＮなどの非接触式通信方法を用いるようにしても良い。
【００６３】
このように形成する特殊景品買い取り装置１は、通常時は管理部４のキー操作部４３および表示部４２の面と、ソータ部２の入力部２４および表示部２９の面とがソータ部２の受入部２１への特殊景品Ｗの載置を顧客によって行わせる場合に同一方向となるように位置されている。そして、ソータ部２の受入部２１への特殊景品Ｗの載置を顧客に行わせるように受入部２１を替場Ａの仕切り壁Ｂから顧客側Ａ２へ突出させた時には、管理部４のキー操作部４３および表示部表示部４２の面が受入部２１とは反対側に向くように位置させて使用する。尚、ガイド２７は着脱自在に形成し、管理部４を回転させるときのみ取り外し、使用時にはガイド２７を付けて第１の実施の形態同様に用いるようにしても良い。
【００６４】
ついで、特殊景品買い取り装置１の第４の実施の形態を説明する。特殊景品買い取り装置１の第４の実施の形態は、図７に表すように、最下部に現金払出部３、その上部にソータ部２、更に最上部に管理部４を設け、それぞれが相互に内部を貫通させた回転軸４４に回動自在に設置する。そして、ソータ部２および管理部４の作用は第１の実施の形態同様であり、現金払出部３は第２の実施の形態同様に形成して、その作用も第２の実施の形態同様に構成する。
【００６５】
このように特殊景品買い取り装置１を構成することで、各装置の相対位置を自在に変更可能となり、よりフレキシブルな設置対応および使用形態が望める。
尚、第４の実施の形態における特殊景品買い取り装置１も、それぞれあるいは一部を回動移動に加えスライド移動可能に形成することも可能である。例えば、最下部の現金払出部３と中間部のソータ部２を回動動作に加えスライド移動可能とし、ソータ部２の受入部２１側を現金払出部３の紙幣排出口３５およびコイン払出部３７面と同一側に回転させて移動させると共に、ソータ部２を現金払出部３の紙幣排出口３５およびコイン払出部３７とは反対側（図中後ろ側）へ移動させることで、ソータ部２の受入部２１の側面と現金払出部３の紙幣排出口３５およびコイン払出部３７の側面とを同一面にすることが可能となる。これにより、特殊景品買い取り装置１の操作の一部を顧客に行わせるときに、替場Ａの仕切り壁Ｂから顧客側Ａ２へ現金払出部３の紙幣排出口３５およびコイン払出部３７、並びに、ソータ部２の受入部２１を上下に位置させて突出させることが可能となり、顧客は同じ場所で特殊景品Ｗの載置および現金の受け取りができる。
【００６６】
そして、上記特殊景品買い取り装置１では、何れも通信のための中央演算装置（ＣＰＵ）を管理部４に設け通信の管理を行うよう形成し、ソータ部２が計数した特殊景品の種類および種類毎の数量の情報、現金払出部３へ支払わせる現金の金額情報、並びに、これらの動作指示および応答信号等はこの中央演算装置（ＣＰＵ）によって行うが、他の装置に通信のための中央演算装置（ＣＰＵ）を設けても良い。
【００６７】
【発明の効果】従って、この発明によれば、様々な形状の狭い替場に対応して設置可能となり、且つコストミニマム化を果たすことができるという優れた効果を奏する。又、特殊景品の載置および計数開始の指示を顧客に行わせるので、替場係員は特殊景品の受け渡し特殊景品の載置および計数開始の指示を行わないので、開口窓から顧客に現金を受け渡している間に、次の顧客が特殊景品を載置でき、替場における作業時間を短縮可能となる。
【００６８】
更に、本発明による特殊景品買取り装置は、キー操作部と現金払出部とが同一筐体に設けられており、ソータ部を別体にできるので、例えば、替場内で仕切られた顧客側と替場係員側とを仕切る仕切壁からソータ部の受入部のみを顧客側にして顧客による操作を可能にでき、顧客にソータ部の受入部へ特殊景品を載置してもらうことができ、替場係員の作業を軽減できる。従って、閉店間近等の替場混雑時にも替場における特殊景品の買取り作業を効率よく行える。
【００６９】
また、現金払出部への現金の補充を、装置上部の空間から行えるようになるので、一般に床面積を小さくし必要最小限に設けられる替場を有効に使用可能となる。
更にまた、ソータ部の受入部、現金払出部の払出部、管理部のキー操作部のうち、少なくも１つが他の部位と相対的に移動可能なので、例えば、閉店間近等の混雑時には、ソータ部の受入部及び現金払出部の払出部を顧客側へ顧客による操作可能に移動させて特殊景品のソータ部への挿入（或は載置）や、支払われた現金の受け取りを顧客に行わせることが可能となり、場合によっては、それぞれの位置を移動させることで、特殊景品買取り装置に対する操作の一部を顧客に分担させる利用形態をとることが可能となる。
【００７０】
更に又、遊技場によって異なるカード型や箱形等種々の形態の特殊景品に対し、特殊景品買取り装置の構成中にソータ部を設けず、各遊技場毎に用意されたソータ部から特殊景品を識別しその種類及び数量を入力する、即ち、換金可能な複数種の特殊景品の種別毎に数量を入力可能であるので、払い出す金額を確定可能となり、どの様な形態の特殊景品を用いている遊技場の替場に対しても実施可能にできる。
【００７１】
同様に、前記ソータ部を設けない構成の特殊景品買取り装置同様、払い出す現金の金額に関する情報（金種毎の数量に関する情報を含まないでもよい。）を既存の現金払出装置に対して通信することで現金の支払いを可能となり、又、現金払出装置以外の装置に対しても同様に、払い出す現金の金額に関する情報（金種毎の数量に関する情報を含まないでもよい。）の通信が可能にできる。これによって、特殊景品買取り装置は既存の現金払出装置と組み合わせた状態で使用可能となり、特殊景品買取り装置の利用範囲を広くできる。
【００７２】
更に又、この発明は、ソータ部と現金払出部の何れかと管理部とを同一筐体としても構成するので装置全体をコンパクトにできる。更に、ソータ部の受入部、現金払出部の払出部、管理部のキー操作部のうち少なくも１つを移動可能に構成するので、前記同様例えば、ソータ部の受入部及び現金払出部の払出部を替場内の顧客側へスライド或は回転させることで替場仕切壁の顧客側へ顧客による操作可能に相対的に移動させ、特殊景品のソータ部への挿入（或は載置）を顧客に行わせ、ソータ部が識別した特殊景品の種類及び数量に見合った現金の支払いを許可する操作を替場の係員が管理部のキー操作部を操作することで行い、現金払出部が該許可に基づいて該金額を払出部から支払い、支払われた現金を顧客によって受け取らせることが可能となる。このように、特殊景品買取り装置に対する操作を、全て替場係員が行ったり、該操作の一部を顧客に分担させたりと種々の利用形態をとることが可能となる。
【００７３】
そして、この発明によれば、各部に通信の制御を行う制御部を設けずに構成でき、各装置に通信のための中央演算処理装置（ＣＰＵ）を必要せず各部の通信制御を一体に処理することができるので、複雑な通信ソフトの開発が不要となり、システム全体のコストを押さえることができる。
【図面の簡単な説明】
【図１】この発明の第１の実施の形態を表す説明図
【図２】替場の説明図
【図３】第１の実施の形態を表す説明図
【図４】同内部説明図
【図５】第２の実施の形態を表す説明図
【図６】第３の実施の形態を表す説明図
【図７】第４の実施形態を表す説明図
【図８】第１の従来例図
【図９】第２の従来例図
【符号の説明】
Ａ    替場
Ａ１    替場係員側
Ａ２    顧客側
Ｂ    仕切り壁
Ｂ１    開口窓
Ｂ１    開口窓
Ｃ    カウンタ
Ｄ    板体
Ｅ    設置台
Ｗ    特殊景品
１    特殊景品買い取り装置
２    ソータ部
２１    受入部
２２    識別部
２３    排出口
２４    入力部
２５    計数開始ボタン
２６    エラー排出口
２７    ガイド
２７ｂ  溝部
２８    搬送手段
２９    表示部
３    現金払出部
３１    紙幣処理部
３２    硬貨処理部
３３    紙幣ストッカ
３４    紙幣搬送手段
３５    紙幣排出口
３６    コインストッカ
３７    コイン払出部
３８    コイン払出管
３９    キャスタ部
４    管理部
４１    管理部本体
４２    表示部
４３    キー操作部
４４    回転軸
５    ケーブル
６    筐体
６１    蓋体
【図１】
2004173967.tif 000003
【図２】
2004173967.tif 000004
【図３】
2004173967.tif 000005
【図４】
2004173967.tif 000006
【図５】
2004173967.tif 000007
【図６】
2004173967.tif 000008
【図７】
2004173967.tif 000009
【図８】
2004173967.tif 000010
【図９】
2004173967.tif 000011